(57)【要約】      （修正有）【課題】工具を用いることなく、スピーカマイクロホン接続ケーブルを簡単に携帯無線機に固定でき、無線機本体からの突起物を大きくすることのない携帯無線機のスピーカマイクロホン接続ケーブル固定装置を提供する。【解決手段】携帯無線機本体１に設けられケーブル側コネクタ３ａが嵌着される本体側コネクタ１ａの一方の側の近傍に摺動自在に支持さればね７で付勢されたスライドロック６を設け、本体側コネクタ１ａの他方の側の近傍にフック５を設け、コネクタボディ３にフック５に係合する軸４と、スライドロック６に係止される爪３ｂを設け、軸４をフック５に係止させてコネクタボディ１を軸４回りに回動させることにより爪３ｂがスライドロック６を押しスライドロック６がばね７の弾力に抗して後退した後元に戻りスライドロック６が爪３ｂを係止すると共にケーブル側コネクタ３ａが本体側コネクタ１ａに嵌着されるように構成した。【選択図】        図１
2007028250.tif 000002
【特許請求の範囲】
【請求項１】
携帯無線機のスピーカマイクロホン接続ケーブルに連結されたケーブル側コネクタを保持するコネクタボディを携帯無線機本体に固定する携帯無線機のスピーカマイクロホン接続ケーブル固定装置において、前記携帯無線機本体に設けられ前記ケーブル側コネクタが嵌着される本体側コネクタの一方の側の近傍に摺動自在に支持さればねで付勢されたスライドロックを設け、前記本体側コネクタの他方の側の近傍にフックを設け、前記コネクタボディに前記フックに係合する軸と、前記スライドロックに係止される爪を設け、前記軸を前記フックに係止させて前記コネクタボディを前記軸回りに回動させることにより前記爪が前記スライドロックを押し前記スライドロックが前記ばねの弾力に抗して後退した後元に戻り前記スライドロックが前記爪を係止すると共に前記ケーブル側コネクタが前記本体側コネクタに嵌着されるように構成した携帯無線機のスピーカマイクロホン接続ケーブル固定装置。
【請求項２】
前記スライドロックと前記爪との当接部の少なくとも一方がＲ形状またはテーパ形状とされている請求項１の携帯無線機のスピーカマイクロホン接続ケーブル固定装置。
【請求項３】
前記スライドロックを付勢するばねがコイルばね、捩じりコイルばねまたは板ばねのいずれかである請求項１または２の携帯無線機のスピーカマイクロホン接続ケーブル固定装置。
【請求項４】
前記コネクタボディに前記ケーブル側コネクタの周囲を囲むようにパッキングを貼着した請求項１から３のいずれかに記載した携帯無線機のスピーカマイクロホン接続ケーブル固定装置。
【発明の詳細な説明】
【技術分野】
【０００１】
この発明は携帯無線機に係わり、特に、そのスピーカマイクロホン接続ケーブル固定装置に関する。
【背景技術】
【０００２】
従来の携帯無線機のスピーカマイクロホン接続ケーブル固定装置の例を図５により説明する。図５に示す無線機本体１には本体側コネクタ１ａが設けられておりその下方に凹み１ｂが形成され、本体側コネクタ１ａの上方にはねじ穴１ｃが設けられている。
【０００３】
スピーカおよびマイクロホンに接続されたケーブル２にコネクタボディ１０が連結されており、コネクタボディ１０はケーブル２に接続されたケーブル側コネクタ１０ａを保持し、その先端部にはＬ字形の爪１０ｂが設けられている。
【０００４】
このコネクタボディ１０を無線機本体１に固定するには、先ず、コネクタボディ１０の爪１０ｂを無線機本体１の凹み１ｂに差込み、爪１０ｂを無線機本体１に係止させる。次に、爪１０ｂの係止部を回動中心としてコネクタボディ１０を無線機本体１側に回動させてケーブル側コネクタ１０ａを本体側コネクタ１ａに嵌着させる。
【０００５】
その状態でコネクタボディ１０に取付けられている固定ねじ１１をドライバ１３で無線機本体１のねじ穴１ｃにねじ込んで、コネクタボディ１０を爪１０ｂと固定ねじ１１とで無線機本体１に固定する。コネクタボディ１０を無線機本体１から外す場合は固定ねじ１１をドライバ１３で回してねじ穴１ｃから離す。
【０００６】
上記従来のスピーカマイクロホン接続ケーブル固定装置はコネクタボディ１０を固定するためにはねじを締める動作が必要なために時間がかかるという欠点があった。また、ねじを締めるための工具が必要であった。
【０００７】
図６に示す従来の携帯無線機のスピーカマイクロホン接続ケーブル固定装置は図５に示す接続ケーブル固定装置における固定ねじ１１がねじ頭の大きい固定ねじ１２で置き換えられている。
【０００８】
この例では工具なしにねじ頭を手で回すことにより工具を使用せずに固定ねじ１２を締めることができるが、固定ねじ１２のねじ頭が無線機本体からの大きい突起物となり邪魔になり、あるいは他のものに引っ掛かったり傷つけたりしていた。そして、図５に示したものと同様にコネクタボディ１０を固定するために時間が掛かるという問題があった。
【０００９】
実開昭５７−１１５２８９号のマイクロフィルムに提案された考案を携帯無線機のスピーカマイクロホン接続ケーブル固定装置に適用する場合はコネクタの他にコードと一体に設けたコードブッシュを機器本体にねじで締着しなければならず、固定に時間が掛り、また、コネクタの他に突起物が追加されることになる。
【特許文献１】実開昭５７−１１５２８９号のマイクロフィルム、明細書第２頁、第２図
【発明の開示】
【発明が解決しようとする課題】
【００１０】
この発明は上記した点に鑑みてなされたものであって、その目的とするところは、工具を用いることなく、スピーカマイクロホン接続ケーブルを簡単に携帯無線機に固定でき、無線機本体からの突起物を大きくすることのない携帯無線機のスピーカマイクロホン接続ケーブル固定装置を提供することにある。
【課題を解決するための手段】
【００１１】
この発明の携帯無線機のスピーカマイクロホン接続ケーブル固定装置は、携帯無線機のスピーカマイクロホン接続ケーブルに連結されたケーブル側コネクタを保持するコネクタボディを携帯無線機本体に固定する携帯無線機のスピーカマイクロホン接続ケーブル固定装置において、前記携帯無線機本体に設けられ前記ケーブル側コネクタが嵌着される本体側コネクタの一方の側の近傍に摺動自在に支持さればねで付勢されたスライドロックを設け、前記本体側コネクタの他方の側の近傍にフックを設け、前記コネクタボディに前記フックに係合する軸と、前記スライドロックに係止される爪を設け、前記軸を前記フックに係止させて前記コネクタボディを前記軸回りに回動させることにより前記爪が前記スライドロックを押し前記スライドロックが前記ばねの弾力に抗して後退した後元に戻り前記スライドロックが前記爪を係止すると共に前記ケーブル側コネクタが前記本体側コネクタに嵌着されるように構成したものである。
【００１２】
また、前記携帯無線機のスピーカマイクロホン接続ケーブル固定装置において、前記スライドロックと前記爪との当接部の少なくとも一方がＲ形状またはテーパ形状とされているものである。
【００１３】
また、前記各携帯無線機のスピーカマイクロホン接続ケーブル固定装置において、前記スライドロックを付勢するばねをコイルばね、捩じりコイルばねまたは板ばねのいずれかとしたものである。
【００１４】
また、前記各携帯無線機のスピーカマイクロホン接続ケーブル固定装置において、前記コネクタボディに前記ケーブル側コネクタの周囲を囲むようにパッキングを貼着したたものである。
【発明の効果】
【００１５】
この発明の携帯無線機のスピーカマイクロホン接続ケーブル固定装置によれば、工具を用いることなく、スピーカマイクロホン接続ケーブルを簡単に携帯無線機に固定でき、無線機本体からの突起物を大きくすることがない。
【発明を実施するための最良の形態】
【００１６】
以下この発明を実施するための最良の形態を実施例に即して説明する。図１（ａ）はこの発明の実施例である携帯無線機のスピーカマイクロホン接続ケーブル固定装置を示す分解斜視図、図１（ｂ）は図１（ａ）におけるＢ部拡大図、図１（ｃ）は図１（ａ）におけるＣ部拡大図である。
【００１７】
図に示す無線機本体１には本体側コネクタ１ａが設けられておりその下方に凹み１ｂが形成され、本体側コネクタ１ａの上方にはフック５が形成されている。図１（ｂ）に詳しく示すように、凹み１ｂは上部および奥の幅が広くなっており、凹み１ｂの中にまずコイルばね７が挿入され、その上にスライドロック６が挿入される。
【００１８】
スライドロック６のベース部６ｂは凹み１ｂの広幅の部分に嵌まり込む状態となり、スライドロック６はコイルばね７により上方に付勢される状態となる。スライドロック６の先端部の無線機本体１の外側にでる部分はＲ形状となっている。
【００１９】
スピーカおよびマイクロホンに接続されたケーブル２にコネクタボディ３が連結されており、コネクタボディ３はケーブル２に接続されたケーブル側コネクタ３ａを保持し、その先端部にはＬ字形の爪３ｂが設けられている。爪３ｂの先端外側はＲ形状の当接部３ｃを形成している。コネクタボディ３の基端部に設けられたボスは軸４を両持状態に支持している。
【００２０】
コネクタボディ３を無線機本体１に固定するには、先ず、コネクタボディ３の軸４を無線機本体１のフック５に嵌合させた状態でコネクタボディ３を軸４を回動中心として無線機本体１側に回動させてケーブル側コネクタ３ａを本体側コネクタ１ａに嵌着させる。
【００２１】
そのとき、スライドロック６の先端部は爪３ｂの当接部３ｃに押され、スライドロック６はコイルばね７の弾力に抗して一旦図１（ａ）における下側に移動した後、下に戻りコネクタボディ３の爪３ｂを係止する。
【００２２】
そして、コネクタボディ３はスライドロック６とフック５で無線機本体１に固定される。コネクタボディ３を無線機本体１から外す場合はスライドロック６を指で下側に移動させ、爪３ｂのロックを解除してコネクタボディ３を軸４回りに回動させて無線機本体１から外す。
【００２３】
このように、実施例の携帯無線機のスピーカマイクロホン接続ケーブル固定装置では、スピーカマイクロホン接続ケーブルに連結されたコネクタをワンタッチで無線機本体に取り付け取り外しができるが、さらに、コネクタ固定部にかかる応力も従来のものに比べて小さくなる。
【００２４】
図２により従来のものと実施例のものとのスピーカマイクロホン接続ケーブル固定装置にかかる応力を説明する。図２（ａ）は従来のものを示し、図２（ｂ）は実施例のものを示している。ケーブル２に矢印方向にＦの引っ張り力が加わったときに、無線機本体の表面に対し４５°の傾斜方向にＰの力が力点Ｒに加わるとするときの固定ねじ１１および軸４の曲げモーメントを計算する。
【００２５】
なお、爪で支える支点Ｓには曲げモーメンとはかからない。固定ねじ１１の座面には曲げモーメントを発生する力として（１／√２）Ｐの力がかかる。固定ねじ１１の曲げモーメントを受ける長さＬ１とすると最大曲げモーメントは
Ｍ１＝Ｌ１×（１／√２）Ｐとなる。
【００２６】
軸４のスパンをＬ２とし、軸４には長さ方向に均一の分布荷重が作用するとすると、最大曲げモーメントは
Ｍ２＝Ｌ２×（１／８）×Ｐとなる。Ｌ１＝Ｌ２とすると、Ｍ２＝０．１７６Ｍ１となり、軸４に加わる曲げモーメントは従来の固定ねじに加わる曲げモーメントより大幅に小さくなる。このように実施例のケーブル固定装置は小さい曲げモーメントしかかからないため、コネクタボディを強固に固定できる。
【００２７】
図３に実施例のフック５の具体的構成の例を示す。図３（ａ）はフック５ａをシャーシに一体形成した場合の形状のフックの部分を示している。図３（ｂ）はフック５ｂを板金で形成してねじ８でシャーシに締着する場合の形状を示す。図３（ｃ）はフック５ｃを台座と一体に形成しねじ８でシャーシに締着する場合の形状を示す。このようにフックは種々の方法で形成することができる。
【００２８】
図４はコネクタをパッキングで防水する場合のパッキングの形状を示す。このロ字形状のパッキング９をコネクタボディ３のケーブル側コネクタ３ａの周囲に貼着すると、実施例のコネクタボディ１を強固に無線機本体１に固定できるため、高い防水性能を得ることができる。
【００２９】
実施例は以上のように構成されているが、発明はこれに限られず、例えば、コネクタボディの爪およびスライドロックの先端部のいずれか一方または双方をテーパ形状としてもよい。また、スライドロックをコイルばねで付勢する代わりに捩じりコイルばねまたは板ばねで付勢してもよい。
【図面の簡単な説明】
【００３０】
【図１】図１（ａ）はこの発明の実施例である携帯無線機のスピーカマイクロホン接続ケーブル固定装置を示す分解斜視図、図１（ｂ）は図１（ａ）におけるＢ部拡大図、図１（ｃ）は図１（ａ）におけるＣ部拡大図である。
【図２】図２（ａ）は従来の携帯無線機のスピーカマイクロホン接続ケーブル固定装置の作用を説明するための側面図、図２（ｂ）は本実施例の携帯無線機のスピーカマイクロホン接続ケーブル固定装置の作用を説明するための側面図である。
【図３】図３（ａ）は本発明の実施例である携帯無線機のスピーカマイクロホン接続ケーブル固定装置に用いられるフックの例を示す斜視図、図３（ｂ）は同フックの他の例を示す斜視図、図３（ｃ）は同フックのさらに他の例を示す斜視図である。
【図４】本発明の実施例である携帯無線機のスピーカマイクロホン接続ケーブル固定装置に用いられるパッキングを示す斜視図である。
【図５】携帯無線機のスピーカマイクロホン接続ケーブル固定装置の従来の例を示す斜視図である。
【図６】携帯無線機のスピーカマイクロホン接続ケーブル固定装置の従来の他の例を示す斜視図である。
【符号の説明】
【００３１】
１  無線機本体、１ａ  本体側コネクタ、１ｂ  凹み、１ｃ  ねじ穴
２  ケーブル
３  コネクタボディ、３ａ  ケーブル側コネクタ、３ｂ  爪、３ｃ  当接部
４  軸
５  フック
６  スライドロック、６ａ  係止部、６ｂ  ベース部
７  コイルばね
８  ねじ
９  パッキング
１０  コネクタボディ、１０ａ  ケーブル側コネクタ、１０ｂ  爪
１１  固定ねじ
１２  固定ねじ
１３  ドライバ
【図１】
2007028250.tif 000003
【図２】
2007028250.tif 000004
【図３】
2007028250.tif 000005
【図４】
2007028250.tif 000006
【図５】
2007028250.tif 000007
【図６】
2007028250.tif 000008